(57)【特許請求の範囲】
【請求項１】
脚支柱の下端部に設けた脚エンドの下面にネジ孔を開口し、該ネジ孔にアジャスタの螺軸を螺合可能に設け、該アジャスタの内部に接地部材に回転自在に装着した取付けボルトを螺合可能に設け、前記螺軸のネジ孔に対する螺合量を介し脚エンド下面の高さを調整可能にしたテーブル等の高さ調整装置において、前記螺軸の上端部に複数の係合爪を設けたストッパーリングを固定し、該係合爪を脚エンドの内面に係合可能に設けたことを特徴とするテーブル等の高さ調整装置。
【請求項２】
前記脚エンドの相対する内面に複数の係合溝を設け、該係合溝に係合爪を係合可能に設けた請求項１記載のテーブル等の高さ調整装置。
【請求項３】
前記係合溝を前記螺軸の移動方向に沿って形成した請求項２記載のテーブル等の高さ調整装置。
【請求項４】
前記ストッパーリングを略六角板状に形成し、その外周の等角度位置に６個の係合爪を形成した請求項２記載のテーブル等の高さ調整装置。
【請求項５】
前記係合爪を略逆Ｌ字形状に形成し、該係合爪の内側に切欠溝を円周方向に形成し、該係合爪を内外方向へ弾性変位可能に形成した請求項４記載のテーブル等の高さ調整装置。
【請求項６】
前記係合爪の外周を略山形に形成し、その外周の尖端部を前記係合溝に係脱可能に形成した請求項５記載のテーブル等の高さ調整装置。
【請求項７】
前記ストッパーリングを合成樹脂製とした請求項１記載のテーブル等の高さ調整装置。
【請求項８】
前記接地部材はキャスタ−である請求項１記載のテーブル等の高さ調整装置。
【発明の詳細な説明】
【技術分野】
【０００１】
本発明は、例えばテ−ブル、椅子、家具等の脚の下端部に設けたキャスタ−の取付ボルトの支持強度を強化し、その折損や変形を防止するとともに、脚ないし天板の床面からの高さを容易かつ確実に調整でき、その調整高さを長期に亘って保持し得るテ−ブル等の高さ調整装置に関する。
【背景技術】
【０００２】
例えば床面を移動可能なキャスタ−を有するテ−ブルの高さ調整装置として、脚の両端部の下面に通孔を形成し、該通孔の開口縁部にナットを固定し、該ナットに調整ハンドルの凹部を係脱可能に取付け、前記凹部に形成した係合孔にキャスタ−に設けた取付ボルトを挿入し、これを前記ナットにねじ込むとともに、調整ハンドルと取付ボルトに設けたバネ受けとの間にスプリングを配置し、高さ調整時は、調整ハンドルを押し下げて適宜方向へ回転し、取付ボルトのねじ込み量を調整して行なうようにしたものがある（例えば、特許文献１参照）。
【０００３】
しかし、前記装置は取付ボルトを脚に固定したナットのみで支持しているため、テ−ブルないしキャスタ−の過負荷時、取付ボルトが折れ曲がり、更に調整ハンドルが破損して使用が困難になり、或いは調整ハンドルが周辺部材に接触した際に押し回されて、取付ボルトの調整位置が変化してしまうという問題があった。
【０００４】
このような問題を解決するものとして、テーブルの脚の下端部周面に突起を設け、該下端部にスプリングを介して、キャスタ−の支軸に突設した取付ボルトをねじ込み、前記脚の下端部と支軸の周面に中空筒状の係止部材を配置し、該係止部材の内面に前記突起と係合可能な凹溝を形成し、高さ調整時に係止部材を押し下げて適宜方向へ回転し、取付ボルトのねじ込み量を調整して行なうようにしたものがある（例えば、特許文献２参照）。
【０００５】
しかし、前記装置は取付ボルトを脚の下端部にねじ込んで支持しているため、テ−ブルないしキャスタ−の過負荷時、取付ボルトが折れ曲がり、更に係止部材が破損して使用が困難になり、或いは係止部材が周辺部材に接触した際に押し回されて、取付ボルトの調整位置が変化してしまうという問題が依然としてあった。
【０００６】
そこで、このような問題を解決するものとして、折畳みテーブルの脚の下端部にバネ座金を介して、キャスタ−と一体のキャスタ−軸に形成した小径雄ネジ部をねじ込み、前記脚の下端部とキャスタ−との間に雌ネジ部を形成した調整筒を配置し、該雌ネジ部にキャスタ−軸の大径雄ネジ部をねじ込み、高さ調整時に、調整筒を適宜方向へ回転し、調整筒の上端と脚の下端部の拡径段部との間隔を調整して行なうようにしたものがある（例えば、特許文献３参照）。
【０００７】
前記装置は、脚の下端部と調整筒の雌ネジ部にキャスタ−軸の小径および大径の雄ネジ部をねじ込み、キャスタ−軸の支持強度を強化しているが、使用時の振動や衝撃によってキャスタ−軸が回転し、経年的にキャスタ−軸の調整位置が変化してしまうという問題があった。
【０００８】
そこで、このような問題を解決するものとして、折畳みテーブルの脚の下端部に、アジャスタと一体の取付ボルトをねじ込み可能な雌ネジ部と、アジャスタの一部を挿入可能な円周溝を雌ネジ部の外側に形成し、また前記取付ボルトに固定され、かつ該ボルトを回動する合成樹脂製のアジャスタを設け、該アジャスタは前記円周溝に挿入された際、円周溝の壁面に当接して一部が変形し、該壁面を付勢するとともに、アジャスタの回動を阻止する制動部を備え、高さ調整時に取付ボルトを脚の雌ネジ部にねじ込み、そのねじ込み量を調整することによって行なっていた。
そして、前記調整時に、制動部の周面を変形して円周溝の壁面に当接する付勢力と、該壁面と制動部との間の摩擦抵抗とによって、アジャスタの回動を阻止し、その緩みを防止するようにしたものがある（例えば、特許文献４参照）。
【０００９】
しかし、前記装置は、取付ボルトの支持強度が不十分で、その変形や折損を防止することが難しく、また脚の下端部とアジャスタの構成が複雑で製作が難しい上に、経年的な使用によって、アジャスタの制動部の付勢力と、円周溝の壁面と制動部との間の摩擦抵抗が減衰してアジャスタが回動しガタを生じて、当初の調整位置が短期間で変化してしまうという問題があった。
【先行技術文献】
【特許文献】
【００１０】
【特許文献１】実用新案登録第２５３２１８９号公報
【特許文献２】特許第４００９２１１号公報
【特許文献３】特開２００７−２６１５４２号公報
【特許文献４】特許第４８０５７２３号公報
【発明の概要】
【発明が解決しようとする課題】
【００１１】
本発明はこのような問題を解決し、例えばテ−ブル、椅子、家具等の脚の下端部に設けたキャスタ−の取付ボルトの支持強度を強化し、その折損や変形を防止するとともに、脚ないし天板の床面からの高さを容易かつ確実に調整でき、その調整高さを長期に亘って保持し得るテ−ブル等の高さ調整装置を提供することを目的とする。
【課題を解決するための手段】
【００１２】
請求項１の発明は、脚支柱の下端部に設けた脚エンドの下面にネジ孔を開口し、該ネジ
孔にアジャスタの螺軸を螺合可能に設け、該アジャスタの内部に接地部材に回転自在に装着した取付けボルトを螺合可能に設け、前記螺軸のネジ孔に対する螺合量を介し脚エンド下面の高さを調整可能にしたテーブル等の高さ調整装置において、前記螺軸の上端部に複数の係合爪を設けたストッパーリングを固定し、該係合爪を脚エンドの内面に係合可能に設け、使用時におけるストッパーリングの回動を防止し螺軸の回動を阻止して、アジャスタによる高さ調整位置を長期に亘って維持し得るようにしている。
【００１３】
請求項２の発明は、脚エンドの相対する内面に複数の係合溝を設け、該係合溝に係合爪を係合可能に設け、使用時におけるストッパーリングの回動を強力に防止し螺軸の回動を阻止して、アジャスタによる高さ調整位置を長期に亘って強固に維持し得るようにしている。
【００１４】
請求項３の発明は、係合溝を前記螺軸の移動方向に沿って形成し、ストッパーリングとの係合域を上下方向に拡張して、アジャスタによる高さ調整域を広範囲に形成するようにしている。
請求項４の発明は、ストッパーリングを略六角板状に形成し、その外周の等角度位置に６個の係合爪を形成し、ストッパーリングを合理的な形状に形成し、複数の係合爪に同一の機能を持たせている。
請求項５の発明は、係合爪を略逆Ｌ字形状に形成し、該係合爪の内側に切欠溝を円周方向に形成し、該係合爪を内外方向へ弾性変位可能に形成し、係合爪の弾性変位を促し、ストッパーリングの円滑な作動を実現している。
【００１５】
請求項６の発明は、略逆Ｌ字形状に形成した係合爪の外周を略山形に形成し、その外周の尖端部を前記係合溝に係脱可能に形成し、その係合力を強化してストッパーリングの回動を防止するとともに、前記係合爪の弾性によって係合を解除可  能に形成し、ストッパーリングによる調整動作を円滑かつ容易に行なうようにしている。
請求項７の発明は、ストッパーリングを合成樹脂製とし、その軽量化と容易かつ安価な製作を実現するとともに、適宜な弾性を付与してアジャスタによる高さ調整操作を円滑に行なうようにしている。
請求項８の発明は、接地部材はキャスターであり、テーブル、椅子、家具等の移動を簡
便に実現するようにしている。
【発明の効果】
【００１６】
請求項１の発明は、螺軸の上端部に複数の係合爪を設けたストッパーリングを固定し、
該係合爪を脚エンドの内面に係合可能に設けたから、使用時におけるストッパーリングの回動を防止し螺軸の回動を阻止して、アジャスタによる高さ調整位置を長期に亘って維持することができる。
【００１７】
請求項２の発明は、脚エンドの相対する内面に複数の係合溝を設け、該係合溝に係合爪を係合可能に設けたから、使用時におけるストッパーリングの回動を強力に防止し螺軸の回動を阻止して、アジャスタによる高さ調整位置を長期に亘って強固に維持することができる。
【００１８】
請求項３の発明は、係合溝を前記螺軸の移動方向に沿って形成したから、ストッパーリングとの係合域を上下方向に拡張し、アジャスタによる高さ調整域を広範囲に形成することができる。
請求項４の発明は、ストッパーリングを略六角板状に形成し、その外周の等角度位置に６個の係合爪を形成したから、ストッパーリングを合理的な形状に形成し、複数の係合爪に同一の機能を持たせることができる。
請求項５の発明は、係合爪を略逆Ｌ字形状に形成し、該係合爪の内側に切欠溝を円周方向に形成し、該係合爪を内外方向へ弾性変位可能に形成したから、係合爪の弾性変位を促し、ストッパーリングの円滑な作動を実現することができる。
【００１９】
請求項６の発明は、略逆Ｌ字形状に形成した係合爪の外周を略山形に形成し、その外周の尖端部を前記係合溝に係脱可能に形成したから、その係合力を強化してストッパーリングの回動を防止するとともに、前記係合爪の弾性によって係合を解除可能に形成し、ストッパーリングによる調整動作を円滑かつ容易に行なうことができる。
請求項７の発明は、ストッパーリングを合成樹脂製としたから、その軽量化と容易かつ安価な製作を実現するとともに、適宜な弾性を付与してアジャスタによる高さ調整操作を円滑に行なうことができる。
請求項８の発明は、接地部材はキャスターであるから、テーブル、椅子、家具等の移動を簡便に実現することができる。
【図面の簡単な説明】
【００２０】
【図１】本発明を適用した会議用テ−ブルの使用形態を示す斜視図である。
【図２】図１の正面図である。
【図３】図１の左側面図で、天板の使用状態と折畳み状態を拡大して示している。
【図４】本発明の要部を分解し拡大して示す斜視図である。
【図５】本発明の要部を分解し拡大して示す斜視図で、脚エンド内におけるストッパ−リングの組み付け状況を示している。
【００２１】
【図６】本発明の要部を拡大して示す平面図で、脚エンド内におけるストッパ−リングの組み付け後の状況を示している。
【図７】本発明の要部を示す断面図で、脚エンドないし天板の最下位置調整状況を示している。
【図８】本発明の要部を示す断面図で、アジャスタによる高さ調整によって、脚エンドないし天板の最高位置調整状況を示している。
【００２２】
【図９】本発明に適用したストッパ−リングの組み付け後の状況を拡大して示している。
【図１０】本発明を適用した会議用テ−ブルの他の実施形態を示す斜視図である。
【発明を実施するための形態】
【００２３】
以下、本発明を会議用テ−ブルの脚ないし天板の高さ調整に適用した図示の実施形態について説明すると、図１乃至図９において１は会議用テ−ブルで、該テ−ブル１は横長矩形の天板２と、該天板２の下面の長さ方向に離間して配置した角管製の一対の補強枠３と、該補強枠３の両端部を連結し、天板２の両端部の下面に固定された略逆Ｕ字形断面の鋼板製の下枠４と、該下枠４の中間部に一端を回動可能に連結されたアルミダイカスト製のジョイント部材５と、該ジョイント部材５の他端に連結された鋼管製の直線状の脚支柱６と、該脚支柱６の上部に接続金具７を介して外側に連結された鋼管製の略Ｌ字形状の脚支柱８と、脚支柱６，８の下端部に連結した合成樹脂製の脚エンド９，１０と、該脚エンド９，１０の軸周りに回動自在に装着され、床面１１を走行可能な接地部材であるキャスタ−１２，１３と、を備えている。図中、８ａは脚支柱８の上端部に装着した合成樹脂製のキャップである。
【００２４】
前記天板２は内部の所定位置にナット（図示略）が埋設され、その連通孔に下枠４のビス孔を位置付け、該ビス孔にビスまたはボルトを挿入して前記ナットにねじ込み、天板２の下面に下枠４を固定可能にしている。
前記下枠４の内側にジョイント部材５に隣接して板状のブラケット（図示略）が取付けられ、該ブラケットとジョイント部材５とを枢軸１４を介して回動可能に連結し、該枢軸１４を中心に天板２を回動可能に連結している。
前記下枠４，４に回動軸（図示略）が回転可能に支持され、該回動軸は捩りバネ（図示略）を介して一方向に回動可能に付勢され、その両端部が下枠４，４の外側に突出し、該突出部に操作レバ−１５の基端部が装着されている。
【００２５】
前記下枠４内の回動軸に、ロックリンク（図示略）の基端部が回動可能に支持され、その他端部がジョイント部材５の上部周面に形成した二つの係合溝（図示略）に係合可能に配置され、各係合溝にロックリンクの他端部を係合して、天板２の水平状態と折畳み状態を形成可能にしている。
図中、１６はジョイント部材５，５の下部に架け渡された角管製の連結枠、１７は下枠４の保護カバ−で、その一側端部が切り欠かれ、該切欠部にジョイント部材５の上端部を収容可能にしており、１８は天板２の直下に設けた収納棚である。
【００２６】
前記脚エンド９，１０は、脚エンド９が略直管状、脚エンド１０が略Ｌ字形状に形成され、それらは実質的に同一に構成されていて、その上端部が脚支柱６，８に嵌合可能に縮径した矩形管状に形成され、その縮径部９ａ，１０ａの適所にビス１９をねじ込んで連結している。
【００２７】
前記脚エンド９，１０の下端部は下方に縮径する角錐台形に形成され、その内側の対向面に緩やかな凹曲面状の摺接面２０が上下方向に形成され、該摺接面２０に二つの係合溝２１，２１が離間して上下方向に形成されている。
前記隣接する係合溝２１，２１の中心角度θは、アジャスタ２５の１／６回転角度分、つまり６０°に形成され、アジャスタ２５の１／６回転によって、後述する係合爪３２の尖端部を前記係合溝２１に係合可能にしている。
【００２８】
図中、２２は脚エンド１０の中間部上面を切り欠いた成形用の開口部で、該開口部２２にキャップ２３が着脱自在に装着されている。この場合、脚エンド９は略直管状で、その上端が開口されているため、前記開口部２２は存在していない。
【００２９】
前記脚エンド９，１０の下端部にネジ孔２４が形成され、該ネジ孔２４に合成樹脂製のアジャスタ２５の螺軸２６が下方からねじ込まれ、そのねじ込み量によって脚エンド９，１０ないし天板２の床面１１からの高さを調整可能にしている。
前記螺軸２６の上端部に係止面を備えた係止軸２７が突設され、該係止軸２７にストッパ−リング２８が掛け止められ、該ストッパ−リング２８の上方からビス２９が係止軸２７のネジ孔３０にねじ込まれている。
【００３０】
前記ストッパ−リング２８は合成樹脂製の六角板状に成形され、その中央に係止軸２７と同形の係止孔３１が形成され、その外側に６個の係合爪３２を等角度位置、実施形態では６０°位置に形成され、その回転中心角度θを係合溝２１の中心角度θと同一に形成している。
【００３１】
前記係合爪３２は略逆Ｌ字形状に形成され、その外周面は略山形に形成されていて、その先端部と内側面、およびストッパ−リング２８の外周面との間に切欠溝３３が形成され、該切欠溝３３を介して係合爪３２を内外方向へ変位可能にし、係合爪３２を係合溝２１に係脱可能にしている。
【００３２】
すなわち、ストッパ−リング２８は前記摺接面２０に回動かつ摺接可能に配置され、前記アジャスタ２５の操作による回動時、係合爪３２の外周の尖端部３２ａを前記係合溝２１に係合し、脚エンド９，１０ないし天板２の高さを上昇または下降可能にしている。
【００３３】
したがって、例えばアジャスタ２５を１回転すると、これにストッパ−リング２８が同期回動し、脚エンド９，１０ないし天板２の高さがアジャスタ２５の螺軸２６の１ピッチ分上下動し、アジャスタ２５を１／６回転、つまり６０°回動すると、係合爪３２の尖端部３２ａが隣接の係合溝２１に係合し、脚エンド９，１０ないし天板２の高さを、アジャスタ２５の螺軸２６の１／６ピッチ分上下動させ、その係合位置の回動角度を保持可能にしている。
【００３４】
前記螺軸２６の内部にネジ孔３４が形成され、該ネジ孔３４はアジャスタ２５の下端部に突設した操作板３５の下面に開口され、該開口部に凹孔３６が形成されている。
前記ネジ孔３４にキャスタ−１３の上部に突設した取付ボルト３７がねじ込まれて緊締され、アジャスタ２５と取付ボルト３７とが一体的かつ同動可能に構成されている。
【００３５】
前記取付ボルト３７の基部にフランジ３８が設けられ、該フランジ３８を前記凹孔３６に係合可能に収容し、該フランジ３８上にアジャスタ２５を支持するとともに、キャスタ−１３を回転自在に取付けている。
図中、３７ａは取付ボルト３７の頭部、３９は脚エンド１０の縮径部１０ａの内側周面に形成した舌片状の係止片で、その周囲に切欠溝４０を形成し、その弾性によって係止片３９を板厚方向に変位可能にしている。
【００３６】
前記係止片３９の先端部に係合突起４１が外側に突設され、該係合突起４１を脚支柱８の内側周面に形成した係止孔４２に係合可能に設けて、脚支柱８に脚エンド１０を簡便に連結可能にしている。この場合、脚支柱６と対応する脚エンド９にも同様な構成が採用されている。
【００３７】
このように構成したテ−ブル等の高さ調整装置は、脚支柱６，８の下端部に連結可能な脚エンド９，１０と、脚エンド９，１０の下端に上下動可能に取付けたアジャスタ２５と、該アジャスタ２５の回動変位ないし上下動を阻止するストッパ−リング２８と、アジャスタ２５を支持可能な接地部材であるキャスタ−１２，１３と、を備えている。
【００３８】
前記脚支柱６，８は所定寸法の鋼管を所定長さに切断し、これを直管状または所定形状に折り曲げて製作する。
前記脚エンド９，１０は脚支柱６，８の下端部に装着可能な角管状に樹脂成形し、その上部の相対する内面に複数の係合溝２１を上下方向に成形し、下部にアジャスタ２５の螺軸２６をねじ込み可能なネジ孔２４を形成する。
【００３９】
このうち、略Ｌ字状に屈曲した脚エンド１０の上部周面に開口部２２を形成し、該開口部２２にキャップ２３を装着して閉塞し、一方、略直管状の脚エンド９は上部を開口し、その相対する内面に複数の係合溝２１を上下方向に成形する。
【００４０】
前記アジャスタ２５に螺軸２６と操作板３５を樹脂成形し、螺軸２６の内部にネジ孔３４を形成し、操作板３５の下面に凹部３６を形成するとともに、螺軸２６の上端部に係止軸２７を突設し、その内部にネジ孔３０を形成する。
前記ストッパ−リング２８を六角板状に樹脂成形し、その外周部に逆Ｌ字形状の６個の係合爪３２を等角度位置に形成し、各係合爪３２の外周部を略山形状に形成するとともに、その尖端部３２ａを係合溝２１に係合可能にする。
そして、各係合爪３２の基部から先端部に亘る内側に切欠溝３３を形成し、係合爪３２を内外方向へ変位可能にする。
【００４１】
前記キャスタ−１２，１３は、前記ネジ孔２４にねじ込み可能な取付ボルト３７を備え、該取付ボルト３７に対しキャスタ−１２，１３に回動自在に構成していて、実施形態では公知のものを使用している。
【００４２】
このように前記脚支柱６，８は、矩形管の下端部に係止孔４２，４２を形成する簡単な構成であり、脚エンド９，１０は略Ｌ字形管および直管状に樹脂成形し、その上部の相対する内面に、凹状曲面２０と二つの係合溝２１，２１を離間して上下方向に成形し、その下部にネジ孔２４を形成すれば良いから、従来のような溶接やネジ部またはネジ孔、および複雑な溝加工や形状の加工を要せず、これらを容易かつ安価に製作し得る。
【００４３】
また、前記アジャスタ２５は螺軸２６と操作板３５を備え、螺軸２６の内部に取付けボルト３７をねじ込み可能なネジ孔３４を形成し、螺軸２６の上端部に係止軸２７とネジ孔３０を形成する簡単な構成であり、従来のようにキャスタ−と脚の下端部に装着する複雑な係止部材とその構成部品や、操作板３５に制動部を変形可能に突設する複雑な成形を要せず、これを容易かつ安価に製作し得る。
【００４４】
こうして製作した前記構成部材を用いて高さ調整装置を組立てる場合は、先ずアジャスタ２５を脚エンド９，１０に取付ける。
この場合は、アジャスタ２５と脚エンド９，１０を用意し、アジャスタ２５の螺軸２６を脚エンド９，１０のネジ孔２４にねじ込み、螺軸２６の上端部を脚エンド９，１０の内部に突出させる。
実施形態では螺軸２６の全域を前記ネジ孔２４にねじ込み、その上端部を最高位置に位置付け、後述のストッパ−リング２８の取付けを簡便にしている。
【００４５】
次に、螺軸２６の上端部の係止軸２７にストッパーリング２８の係止孔３１を嵌合し、該ストッパーリング２８の上方から係止軸２７のネジ孔３０にビス２９をねじ込み、これを緊締してストッパーリング２８を螺軸２６の上端部に固定する。
この状況は図４乃至図７のようで、ストッパーリング２８の係合爪３２の尖端部３２ａが係合溝２１に係合し、または係合可能に位置する。
【００４６】
この後、アジャスタ２５の螺軸２６内部のネジ孔２４にキャスタ−１３の取付けボルト３７をねじ込み、これを強固に緊締して、キャスタ−１３をアジャスタ２５に一体的に連結する。
この状況は図７のようで、ネジ孔２４の全域にキャスタ−１３の取付ボルト３７がねじ込まれ、前記ボルト３７の基部のフランジ３８が凹部３６に係合して取付けられる。
こうしてアジャスタ２５と脚エンド９，１０とキャスタ−１３を組み付け、これらのアセンブリを脚支柱６，８の組み立てに備える。
【００４７】
このようなキャスタ−１３のアセンブリを用いて会議用テ−ブル１を組立てる場合は、前記アセンブリを会議用テ−ブル１の脚支柱６，８に取付ければ良い。  
すなわち、前記アセンブリの脚エンド９，１０の縮径部９ａ，１０ａを脚支柱６，８の下端部に挿入し、係止片３９のスプリングバックによる弾性変位によって、係合突起４１を脚支柱６，８の下端部の係止孔４２に係合し、それらを仮止め後、それらの接合部のネジ孔にビス１９をねじ込んで連結する。
【００４８】
前記連結後、開口部２２にキャップ２３を差し込んで装着すれば、一連の組み立てを容易かつ速やかに行なえる。組み立て後の状況は図７のようで、組み立て後の会議用テ−ブル１は図１乃至図３のようである。
【００４９】
こうして組み立てた会議用テ−ブル１は左右の脚支柱６，８によって支持され、各脚支柱６，８の負荷をアジャスタ２５ないしキャスタ−１３で支持する。
その際、キャスタ−１３の取付ボルト３７は、アジャスタ２５の螺軸２６のネジ孔３４にねじ込まれて外側を支持され、前記螺軸２６は脚エンド９，１０のネジ孔２４にねじ込まれて外側を支持され、取付ボルト３７の外側を二重に支持する。
したがって、取付ボルト３７の支持強度が強化され、会議用テ−ブル１の使用時における負荷による変形や折損を防止し得る。
【００５０】
しかも、取付ボルト３７の上端部は、ストッパ−リング２８を介して摺接面２０ないし係合溝２１に係合して支持されるから、取付ボルト３７の支持強度が増強され、前記負荷による変形や折損を強力に防止する。
【００５１】
前記会議用テ−ブル１の組み立て後は、アジャスタ２５が脚エンド９，１０の奥部にねじ込まれ、螺軸２６の上端部が最高位置に位置し、操作板３５が最下位置に位置し、その凹部３６にフランジ３８が係合してアジャスタ２５を支持し、床面１１からの脚エンド９，１０の高さｈを最下位置に設定し、天板２の床面１１からの高さを最下位置に設定している。この状況は図７に示すようである。
【００５２】
このような状況から脚エンド９，１０の高さないし天板２の高さを調整する場合は、アジャスタ２５の操作板３５を保持し、これを例えば反時計方向へ回転する。
このようにすると、螺軸２６の下動変位が床面１１に接触するキャスタ−１３によって拘束され、一方、前記螺軸２６に螺合するネジ孔２４が螺軸２６に沿って相対的に上動し、脚エンド９，１０が操作板３５から離間して上方へ移動し、脚エンド９，１０ないし天板２の床面１１からの高さが高位置に調整される。
【００５３】
こうして脚エンド９，１０が上動し、開口部２２の底部がストッパ−リング２８に当接したところで、脚エンド９，１０の上動が停止され、床面１１からの脚エンド９，１０ないし天板２の高さＨ（Ｈ＞ｈ）が最高位置に設定される。この状況は図８のようである。
したがって、操作板３５の回動量を調整することによって、床面１１からの脚エンド９，１０ないし天板２の高さを所望位置に調整し得る。
【００５４】
このように本発明の高さ調整は、操作板３５を適宜方向へ回動操作することによって容易かつ円滑に行なえる。
その際、操作板３５の回動にストッパーリング２８が同動し、係合爪３２の尖端部３２ａが摺接面２０に係合し、その接触摩擦力ないし接触面圧力によって操作板３５の回動力が制動されるが、その制動力は、ストッパーリング２８の弾性と切欠溝３３による係合爪３２の内外変位によって低減され、前記回動操作を容易かつ円滑に行なえる。
したがって、筒状の係止部材をバネに抗して押し下げ、突起と溝の係合を解除後回動する従来のものに比べて腕力を要せず、容易かつ効率良く調整し得る。
【００５５】
また、本発明の高さ調整装置は、調整後、ストッパーリング２８の係合爪３２の尖端部３２ａが摺接面２０の係合溝２１に係合し、かつその弾性によって前記係合を強化するから、ストッパーリング２８の回動が防止され、高さ調整位置の変化を防止し長期に亘って所期の調整高さを維持し得る。
【００５６】
図１０は本発明を適用した会議用テ−ブル１の他の実施形態を示し、前述の実施形態と対応する構成部分には同一の符号を用いている。
この実施形態は会議用テ−ブル１の前部側に幕板４３を取付け、前部側からの透視を遮断可能にしている。その他、脚支柱６，８、脚エンド９，１０、アジャスタ２５、キャスタ−１３、ストッパ−リング２８の構成およびその作用は、前述の実施形態と同様である
【００５７】
なお、前述の実施形態は何れも脚支柱６，８の下端に脚エンド９，１０を接続しているが、これらを開口部２２を残して一体成形しても良く、そのようにすれば部品点数が低減し脚エンド９，１０の接続の手間が解消されて、構成の簡潔化と低廉化を図れる。
【産業上の利用可能性】
【００５８】
このように本発明のテ−ブル等の高さ調整装置は、家具等の脚の下端部に設けたキャスタ−の取付ボルトの支持強度を強化し、その折損や変形を防止するとともに、脚ないし天板の床面からの高さを容易かつ確実に調整でき、その調整高さを長期に亘って保持し得るから、例えばテ−ブル、椅子、家具等の実施に好適である。
【符号の説明】
【００５９】
１                会議用テ−ブル
６，８            脚支柱
９，１０          脚エンド
１２，１３        接地部材（キャスタ−）
２１              係合溝
２４              ネジ孔
【００６０】
２５              アジャスタ
２６              螺軸
２８ ストッパーリング
３２              係合爪
３４              ネジ孔
３７              取付ボルト
θ                中心角度、回転中心角度
【図１】
0005954976.tif 000002
【図２】
0005954976.tif 000003
【図３】
0005954976.tif 000004
【図４】
0005954976.tif 000005
【図５】
0005954976.tif 000006
【図６】
0005954976.tif 000007
【図７】
0005954976.tif 000008
【図８】
0005954976.tif 000009
【図９】
0005954976.tif 000010
【図１０】
0005954976.tif 000011